(57)【要約】【課題】表示状態に応じて表示手段の規模が大きくなることを抑制できるファクシミリ装置を提供すること目的とする。【解決手段】複数の通信モードを備えたファクシミリ装置において、前記通信モードの使用状況、および、電源状況を表示する複数の発光ダイオードからなる表示手段を備えたものである。【選択図】        図１
2006237805.tif 000002
【特許請求の範囲】
【請求項１】
複数の通信モードを備えたファクシミリ装置において、
前記通信モードの使用状況、および、電源状況を表示する複数の発光ダイオードからなる表示手段を備えたことを特徴とするファクシミリ装置。
【請求項２】
グループ３ファクシミリ通信機能とグループ４ファクシミリ通信機能を備えるとともに、電源動作モードとして省エネモードを備えた備えたファクシミリ装置において、
前記グループ３ファクシミリ通信機能、グループ４ファクシミリ通信機能、および、電源動作モードを表示する複数の発光ダイオードからなる表示手段を備えたことを特徴とするファクシミリ装置。
【請求項３】
前記表示手段は、エラー発生時には、エラー発生を通知する表示態様を備えたことを特徴とする請求項１または請求項２記載のファクシミリ装置。
【請求項４】
前記表示手段は、通信エラー発生時と、システムエラー発生時とで異なる表示態様を備えたことを特徴とする請求項３記載のファクシミリ装置。
【請求項５】
前記表示手段は、電源投入時には、エラーの発生にかかわらず、１つ以上の発光ダイオードを点灯表示させることを特徴とする請求項３または請求項４記載のファクシミリ装置。
【発明の詳細な説明】
【技術分野】
【０００１】
本発明は、複数の通信モードを備えたファクシミリ装置に関する。
【背景技術】
【０００２】
従来、グループ３ファクシミリ通信機能とグループ４ファクシミリ通信機能をともに備えたファクシミリ装置では、通信動作中、通信モードを表示する表示手段を備えていた。例えば、グループ３ファクシミリ通信中には、「Ｇ３ＦＡＸ通信（送信／受信）中」と表示し、グループ４ファクシミリ通信中には、「Ｇ４ＦＡＸ通信（送信／受信）中」と表示している。また、このような表示、通常、液晶表示装置に図形文字列で表示したり、それぞれの通信モードを表示する発光ダイオードを用いて表示していた（特許文献１，２参照）。
【０００３】
このようにして、従来では、それぞれの通信モードや、電源モードなどをそれぞれ独立した表示手段（液晶表示装置の表示領域、あるいは、発光ダイオード）を用いて表示するのが普通であった。
【特許文献１】特開２００３−１２７０１０号公報
【特許文献２】特開平０６−３４０１５３号公報
【発明の開示】
【発明が解決しようとする課題】
【０００４】
しかしながら、このようなファクシミリ装置では、表示させたい状態が増えると、それに伴って表示手段の表示態様を増やす必要があり、表示手段の表示面積が大きくなる等の不具合を生じていた。
【０００５】
本発明は、かかる実情に鑑みてなされたものであり、表示状態に応じて表示手段の規模が大きくなることを抑制できるファクシミリ装置を提供すること目的とする。
【課題を解決するための手段】
【０００６】
本発明は、複数の通信モードを備えたファクシミリ装置において、前記通信モードの使用状況、および、電源状況を表示する複数の発光ダイオードからなる表示手段を備えたものである。
【０００７】
また、グループ３ファクシミリ通信機能とグループ４ファクシミリ通信機能を備えるとともに、電源動作モードとして省エネモードを備えた備えたファクシミリ装置において、前記グループ３ファクシミリ通信機能、グループ４ファクシミリ通信機能、および、電源動作モードを表示する複数の発光ダイオードからなる表示手段を備えたものである。
【０００８】
また、前記表示手段は、エラー発生時には、エラー発生を通知する表示態様を備えたものである。また、前記表示手段は、通信エラー発生時と、システムエラー発生時とで異なる表示態様を備えたものである。また、前記表示手段は、電源投入時には、エラーの発生にかかわらず、１つ以上の発光ダイオードを点灯表示させるようにしたものである。
【発明の効果】
【０００９】
したがって、本発明によれば、複数の発光ダイオードにより、複数の通信モードや電源動作モードを表示することができるので、表示手段に必要な装置規模を抑制することができる。
【発明を実施するための最良の形態】
【００１０】
以下、添付図面を参照しながら、本発明の実施の形態を詳細に説明する。
【００１１】
図１は、本発明の一実施例にかかるファクシミリ装置を示している。このファクシミリ装置は、伝送路としてデジタル公衆網ＩＳＤＮを用い、通信機能として、グループ３ファクシミリ通信機能とグループ４ファクシミリ通信機能を備えたものである。
【００１２】
同図において、制御部１は、主としてこのファクシミリ装置の各部の制御処理を行うものであり、システムメモリ２は、制御部１が実行する制御処理プログラム、および、処理プログラムを実行するときに必要な各種データなどを記憶するとともに、制御部１のワークエリアを構成するものであり、パラメータメモリ３は、このファクシミリ装置に固有な各種の情報を記憶するためのものであり、時計回路４は、現在時刻等を出力するためのものである。
【００１３】
スキャナ５は、グループ３ファクシミリ通信機能およびグループ４ファクシミリ通信機能で必要となる所定の解像度で原稿画像を読み取るためのものであり、プロッタ６は、所定の解像度で画像を記録出力するためのものであり、例えば、電子写真プロセスを利用して画像を形成するレーザビームプリンタなどが適用される。また、操作表示部７は、このファクシミリ装置を操作するためのもので、各種の操作キー、および、各種の表示器からなる。
【００１４】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１５】
ＩＳＤＮインタフェース回路１０は、このファクシミリ装置をデジタル公衆網ＩＳＤＮに接続するとともに、レイヤ１の信号処理機能およびＤチャネル（信号チャネル）の信号と２つのＢチャネル（情報チャネル）の信号の統合／分離機能を備えたものであり、Ｄチャネル伝送制御部１１は、呼設定／呼解放手順処理などＩＳＤＮのＤチャネル上の信号処理を実行するためのものである。また、グループ３ファクシミリ通信制御部１２は、Ｂチャネル上で行うグループ３ファクシミリ伝送手順機能を実現するためのものであり、コーデック等（図示略）も備えている。また、グループ４ファクシミリ通信制御部１３は、Ｂチャネル上で行うグループ４ファクシミリ伝送手順機能を実現するためのものである。
【００１６】
これらの、制御部１、システムメモリ２、パラメータメモリ３、スキャナ４、プロッタ５、操作表示部６、符号化復号化部７、画像蓄積装置８、Ｄチャネル伝送制御部、および、グループ３ファクシミリ通信制御部、および、グループ４ファクシミリ通信制御部１３は、システムバス１４に接続されており、これらの各要素間でのデータのやりとりは、主としてこのシステムバス１４を介して行われている。
【００１７】
さて、本実施例では、電源動作モードとして、省エネモードを備えており、さらに、その省エネモードには、操作表示部７の表示などを消灯する簡易省エネモードと、プロッタ６の定着部の予熱まで停止させる完全省エネモードがある。
【００１８】
このように、本実施例のファクシミリ装置は、複数の通信モード（グループ３ファクシミリ通信機能、および、グループ４ファクシミリ通信機能）、および、複数の電源動作モード（電源オン、簡易省エネモード、完全省エネモード、電源オフ）を備えている。
【００１９】
そこで、本実施例では、図２に示すような４つの発光ダイオードＬＤ１，ＬＤ２，ＬＤ３，ＬＤ４からなる表示手段を操作表示部７に設け、この発光ダイオードＬＤ１，ＬＤ２，ＬＤ３，ＬＤ４の表示態様により、複数の通信モード、および、複数の電源動作モードを区別して表示できるようにしている。
【００２０】
すなわち、「電源オン」は、図３（ａ）に示すように、発光ダイオードＬＤ１，ＬＤ２，ＬＤ３，ＬＤ４を全て連続点灯して表示する。また、「簡易省エネモード」は、同図（ｂ）に示すように、発光ダイオードＬＤ１，ＬＤ３を点灯するとともに発光ダイオードＬＤ２，ＬＤ４を消灯する。また、「完全省エネモード」は、同図（ｃ）に示すように、発光ダイオードＬＤ１，ＬＤ２，ＬＤ４を消灯するとともに発光ダイオードＬＤ３を連続点灯する。また、「電源オフ」は、発光ダイオードＬＤ１，ＬＤ２，ＬＤ３，ＬＤ４を全て消灯する。
【００２１】
また、「グループ３ファクシミリ通信中」は、同図（ｅ）に示すように、発光ダイオードＬＤ１，ＬＤ２，ＬＤ３を連続点灯するとともに発光ダイオードＬＤ４を消灯する。また、「代行受信」時には、同図（ｆ），（ｈ）に示すように、発光ダイオードＬＤ１を点滅点灯するとともに発光ダイオードＬＤ２，ＬＤ４を消灯し、さらに、発光ダイオードＬＤ３を連続点灯する。また、「グループ４ファクシミリ通信中」は、同図（ｇ）に示すように、発光ダイオードＬＤ１，ＬＤ３，ＬＤ４を連続点灯するとともに発光ダイオードＬＤ２を消灯する。
【００２２】
なお、これらの表示は、電源オン後１０秒間、または、通信開始後にそれぞれの表示態様に切り替わる。
【００２３】
このように表示することで、４つの発光ダイオードＬＤ１，ＬＤ２，ＬＤ３，ＬＤ４からなる表示手段により、７つの状態を表示することができることとなる。
【００２４】
図４は、この場合の発光ダイオードＬＤ１，ＬＤ２，ＬＤ３，ＬＤ４からなる表示手段の表示制御処理の一部の一例を示している。
【００２５】
電源オンされると、発光ダイオードＬＤ１，ＬＤ２，ＬＤ３，ＬＤ４を全て連続点灯し（処理１０１）、また、グループ３ファクシミリ通信機能を用いた通信中では（判断１０２の結果がＹＥＳ）、発光ダイオードＬＤ２を連続点灯し（処理１０３）、グループ３ファクシミリ通信が終了すると（判断１０４の結果がＹＥＳ）、発光ダイオードＬＤ２を消灯する（処理１０５）。
【００２６】
また、グループ４ファクシミリ通信機能を用いた通信中では（判断１０６の結果がＹＥＳ）、発光ダイオードＬＤ４を連続点灯し（処理１０７）、グループ４ファクシミリ通信が終了すると（判断１０８の結果がＹＥＳ）、発光ダイオードＬＤ４を消灯する（処理１０９）。
【００２７】
また、完全省エネモードになっているときには（判断１１０の結果がＹＥＳ）、発光ダイオードＬＤ１，ＬＤ２，ＬＤ４を消灯し（処理１１１）、簡易省エネモードになっているときには（判断１１２の結果がＹＥＳ）、発光ダイオードＬＤ２，ＬＤ４を消灯し（処理１１３）、それ以外の場合には（判断１１２の結果がＮＯ）、発光ダイオードＬＤ１を連続点灯する（処理１１４）。
【００２８】
図５（ａ）〜（ｉ）は、発光ダイオードＬＤ１，ＬＤ２，ＬＤ３，ＬＤ４からなる表示手段の表示形態の他の例を示している。
【００２９】
この場合、「電源オン」は、同図（ａ）に示すように、発光ダイオードＬＤ１，ＬＤ２，ＬＤ３，ＬＤ４を全て連続点灯して表示する。また、「簡易省エネモード」は、同図（ｂ）に示すように、発光ダイオードＬＤ１，ＬＤ３を点灯するとともに発光ダイオードＬＤ２，ＬＤ４を消灯する。また、「完全省エネモード」は、同図（ｃ）に示すように、発光ダイオードＬＤ１，ＬＤ２，ＬＤ４を消灯するとともに発光ダイオードＬＤ３を連続点灯する。また、「電源オフ」は、発光ダイオードＬＤ１，ＬＤ２，ＬＤ３，ＬＤ４を全て消灯する。
【００３０】
また、「グループ３ファクシミリ通信中」は、同図（ｅ）に示すように、発光ダイオードＬＤ１，ＬＤ２，ＬＤ３を連続点灯するとともに発光ダイオードＬＤ４を消灯する。また、グループ３ファクシミリ通信中にエラーが生じた場合には、同図（ｆ）に示すように、発光ダイオードＬＤ１，ＬＤ３を連続点灯し、発光ダイオードＬＤ２を点滅点灯し、発光ダイオードＬＤ４を消灯する。また、「代行受信」時には、同図（ｇ），（ｊ）に示すように、発光ダイオードＬＤ１を点滅点灯するとともに発光ダイオードＬＤ２，ＬＤ４を消灯し、さらに、発光ダイオードＬＤ３を連続点灯する。また、「グループ４ファクシミリ通信中」は、同図（ｈ）に示すように、発光ダイオードＬＤ１，ＬＤ３，ＬＤ４を連続点灯するとともに発光ダイオードＬＤ２を消灯する。また、グループ４ファクシミリ通信中にエラーが生じた場合には、同図（ｉ）に示すように、発光ダイオードＬＤ１，ＬＤ３を連続点灯し、発光ダイオードＬＤ４を点滅点灯し、発光ダイオードＬＤ２を消灯する。
【００３１】
なお、これらの表示は、電源オン後１０秒間、または、通信開始後にそれぞれの表示態様に切り替わる。
【００３２】
このようにして、この場合には、通信エラーの発生も表示することができる。
【００３３】
図６は、この場合の発光ダイオードＬＤ１，ＬＤ２，ＬＤ３，ＬＤ４からなる表示手段の表示制御処理の一部の一例を示している。
【００３４】
電源オンされると、発光ダイオードＬＤ１，ＬＤ２，ＬＤ３，ＬＤ４を全て連続点灯し（処理２０１）、また、グループ３ファクシミリ通信機能を用いた通信中では（判断２０２の結果がＹＥＳ）、発光ダイオードＬＤ２を連続点灯し（処理２０３）、グループ３ファクシミリ通信中にエラーが発生すると（判断２０４の結果がＹＥＳ）、発光ダイオードＬＤ２を点滅点灯し（処理２０５）、グループ３ファクシミリ通信が終了すると（判断２０６の結果がＹＥＳ）、発光ダイオードＬＤ２を消灯する（処理２０７）。
【００３５】
また、グループ４ファクシミリ通信機能を用いた通信中では（判断２０８の結果がＹＥＳ）、発光ダイオードＬＤ４を連続点灯し（処理２０９）、グループ４ファクシミリ通信中にエラーが発生すると（判断２１０の結果がＹＥＳ）、発光ダイオードＬＤ４を点滅点灯し（処理２１１）、グループ４ファクシミリ通信が終了すると（判断２１２の結果がＹＥＳ）、発光ダイオードＬＤ４を消灯する（処理２１３）。
【００３６】
また、完全省エネモードになっているときには（判断２１４の結果がＹＥＳ）、発光ダイオードＬＤ１，ＬＤ２，ＬＤ４を消灯し（処理２１５）、簡易省エネモードになっているときには（判断２１６の結果がＹＥＳ）、発光ダイオードＬＤ２，ＬＤ４を消灯し（処理２１７）、それ以外の場合には（判断２１６の結果がＮＯ）、発光ダイオードＬＤ１を連続点灯する（処理２１８）。
【００３７】
ところで、プロッタ５の定着部が過熱して、安全な温度範囲を逸脱したり、あるいは、紙ジャムなどの本体のシステムエラーが発生した場合、このような、システムエラーを別の表示形態で表示することが好ましい。
【００３８】
例えば、図７（ｋ）に示したように、２つの表示形態を交互に繰り返し表示するような表示方法を採用することができる。なお、図７（ａ）〜（ｊ）については、図５（ａ）〜（ｊ）と同一であるので、その説明を省略する。
【００３９】
なお、上述した実施例では、デジタル公衆網ＩＳＤＮを伝送路として用い、グループ３ファクシミリ通信機能とグループ４ファクシミリ通信機能を備えたファクシミリ装置について、本発明を適用した場合について説明したが、本発明は、それ以外の複数の通信モードを備えたファクシミリ装置についても、同様にして適用することができる。
【図面の簡単な説明】
【００４０】
【図１】本発明の一実施例にかかるファクシミリ装置を示したブロック図。
【図２】発光ダイオードＬＤ１，ＬＤ２，ＬＤ３，ＬＤ４からなる表示手段の一例を示した概略図。
【図３】発光ダイオードＬＤ１，ＬＤ２，ＬＤ３，ＬＤ４からなる表示手段の表示態様の一例を示した概略図。
【図４】発光ダイオードＬＤ１，ＬＤ２，ＬＤ３，ＬＤ４からなる表示手段の表示制御の一部の一例を示したフローチャート。
【図５】発光ダイオードＬＤ１，ＬＤ２，ＬＤ３，ＬＤ４からなる表示手段の表示態様の他の例を示した概略図。
【図６】発光ダイオードＬＤ１，ＬＤ２，ＬＤ３，ＬＤ４からなる表示手段の表示制御の一部の他の例を示したフローチャート。
【図７】発光ダイオードＬＤ１，ＬＤ２，ＬＤ３，ＬＤ４からなる表示手段の表示態様のさらに他の例を示した概略図。
【符号の説明】
【００４１】
１  システム制御部
２  システムメモリ
３  パラメータメモリ
７  操作表示部
ＬＤ１，ＬＤ２，ＬＤ３，ＬＤ４  発光ダイオード
【図１】
2006237805.tif 000003
【図２】
2006237805.tif 000004
【図３】
2006237805.tif 000005
【図４】
2006237805.tif 000006
【図５】
2006237805.tif 000007
【図６】
2006237805.tif 000008
【図７】
2006237805.tif 000009